(57)【要約】【課題】この発明は、所望の映像表示効果を得るための加工処理が施された後の映像信号を外部に出力可能とすることにより、任意の場所での操作を可能とし、しかも、加工処理後の映像信号のさらなる有効利用も図り得るようにした映像出力装置及び映像出力方法を提供することを目的としている。【解決手段】入力映像信号に所定の表示効果を与えるための処理を施す処理手段（１８）と、処理の施された映像信号に基づいて光学像を生成し、投射レンズ（１３）を介してスクリーン（２１）上に投射して映像表示する投射手段（２０）と、処理の施された映像信号を外部に出力するための出力手段（２６）とを備える。【選択図】      図２
2009210620.tif 000002
【特許請求の範囲】
【請求項１】
映像信号が入力される入力手段と、
前記入力手段に入力された映像信号に対して所定の表示効果を与えるための処理を施す処理手段と、
前記処理手段で処理の施された映像信号に基づいて光学像を生成し、投射レンズを介してスクリーン上に投射して映像表示する投射手段と、
前記処理手段で処理の施された映像信号を外部に出力するための出力手段とを具備することを特徴とする映像出力装置。
【請求項２】
前記処理手段で処理の施された映像信号と、前記入力手段に入力された映像信号とを、選択的に前記出力手段に供給して外部に出力させる選択手段を備えることを特徴とする請求項１記載の映像出力装置。
【請求項３】
前記処理手段で処理の施された映像信号にＯＳＤ信号を重畳する重畳手段と、
前記重畳手段でＯＳＤ信号が重畳された映像信号と、前記処理手段で処理の施された映像信号とを、選択的に前記投射手段に供給して前記スクリーン上に映像表示させる第１の選択手段と、
前記重畳手段でＯＳＤ信号が重畳された映像信号と、前記処理手段で処理の施された映像信号とを、選択的に前記出力手段に供給して外部に出力させる第２の選択手段を備えることを特徴とする請求項１記載の映像出力装置。
【請求項４】
前記処理手段で処理の施された映像信号にＯＳＤ信号を重畳する重畳手段と、
前記重畳手段でＯＳＤ信号が重畳された映像信号と、前記処理手段で処理の施された映像信号とを、選択的に前記投射手段に供給して前記スクリーン上に映像表示させる第１の選択手段と、
前記重畳手段でＯＳＤ信号が重畳された映像信号と、前記処理手段で処理の施された映像信号と、前記入力手段に入力された映像信号とを、選択的に前記出力手段に供給して外部に出力させる第２の選択手段を備えることを特徴とする請求項１記載の映像出力装置。
【請求項５】
放送信号を受信する受信手段と、
前記受信手段で受信された放送信号から映像信号を復元して所定の表示効果を与えるための処理を施す処理手段と、
前記処理手段で処理の施された映像信号に基づいて映像表示を行なう内蔵ディスプレイと、
前記処理手段で処理の施された映像信号を外部に出力するための出力手段とを具備することを特徴とする映像出力装置。
【請求項６】
前記処理手段で処理の施された映像信号にＯＳＤ信号を重畳する重畳手段と、
前記重畳手段でＯＳＤ信号が重畳された映像信号と、前記処理手段で処理の施された映像信号とを、選択的に前記内蔵ディスプレイに供給して映像表示させる第１の選択手段と、
前記重畳手段でＯＳＤ信号が重畳された映像信号と、前記処理手段で処理の施された映像信号とを、選択的に前記出力手段に供給して外部に出力させる第２の選択手段とを備えることを特徴とする請求項５記載の映像出力装置。
【請求項７】
映像信号を入力する工程と、
入力された映像信号に対して所定の表示効果を与えるための処理を施す工程と、
処理の施された映像信号に基づいて光学像を生成し、投射レンズを介してスクリーン上に投射して映像表示させる工程と、
処理の施された映像信号を、出力手段を介して外部に出力する工程とを具備することを特徴とする映像出力方法。
【発明の詳細な説明】
【技術分野】
【０００１】
この発明は、例えばカラープロジェクタのような投射型表示装置等に使用して好適する映像出力装置及び映像出力方法に関する。
【背景技術】
【０００２】
周知のように、首記の如き投射型表示装置は、多数の人が収容可能な場所に設置される機会が多いことから、その設置場所とは別の場所に用意された制御室において、例えばＬＡＮ（local area network）を介して接続されたＰＣ（personal computer）等により操作されるような使われ方をされることがある。
【０００３】
この場合、ＰＣの操作者は、スクリーン上に実際に投射されている映像を見ながら投射型表示装置の操作を行なうことができないので、上記制御室において、投射型表示装置に入力される映像信号をモニタに入力し、その画面上で映像を視認しながら投射型表示装置の操作を行なうことになる。
【０００４】
一方、近年の投射型表示装置にあっては、入力された映像信号に対応する映像をそのままスクリーン上に投射して表示させるだけでなく、入力された映像信号に様々な加工処理を施すことにより、スクリーン上に投射される映像に対して種々の表示効果を与える機能が搭載されてきている。
【０００５】
このため、現在では、このような投射型表示装置に対して、実際にスクリーン上に投射されている映像を見ることなく、つまり、任意の場所で映像信号に映像表示効果を与えるための加工処理を施す操作を行なうことや、当該投射型表示装置により所望の表示効果が与えられた映像信号のより一層の有効利用を図ること等が要望されている。
【０００６】
特許文献１には、情報処理装置からの制御信号に基づいて、表示装置内のメモリ機能や色変換機能を、当該情報処理装置からの画像信号と連動して制御することにより、画像の特定領域の切出し表示やスライドショーのような静止画表示を、画像内容に応じたきれいな画質で行なえるようにしたプロジェクタの構成が開示されている。
【特許文献１】特開２００５−２６６８１６号公報
【発明の開示】
【発明が解決しようとする課題】
【０００７】
そこで、この発明は上記事情を考慮してなされたもので、所望の映像表示効果を得るための加工処理が施された後の映像信号を外部に出力可能とすることにより、任意の場所での操作を可能とし、しかも、加工処理後の映像信号のさらなる有効利用も図り得るようにした映像出力装置及び映像出力方法を提供することを目的とする。
【課題を解決するための手段】
【０００８】
すなわち、この発明に係る映像出力装置は、映像信号が入力される入力手段と、入力手段に入力された映像信号に対して所定の表示効果を与えるための処理を施す処理手段と、処理手段で処理の施された映像信号に基づいて光学像を生成し、投射レンズを介してスクリーン上に投射して映像表示する投射手段と、処理手段で処理の施された映像信号を外部に出力するための出力手段とを備えるようにしたものである。
【０００９】
また、この発明に係る映像出力方法は、映像信号を入力する工程と、入力された映像信号に対して所定の表示効果を与えるための処理を施す工程と、処理の施された映像信号に基づいて光学像を生成し、投射レンズを介してスクリーン上に投射して映像表示させる工程と、処理の施された映像信号を、出力手段を介して外部に出力する工程とを備えるようにしたものである。
【発明の効果】
【００１０】
上記した発明によれば、所定の表示効果を与えるための処理が施された映像信号を、投射手段に供給してスクリーン上に映像表示させるとともに、出力手段を介して外部に出力するようにしたので、任意の場所での操作を可能とし、しかも、加工処理後の映像信号のさらなる有効利用も図ることができるようになる。
【発明を実施するための最良の形態】
【００１１】
以下、この発明の実施の形態について図面を参照して詳細に説明する。図１は、この実施の形態で説明するカラープロジェクタ１１の外観を示している。すなわち、このカラープロジェクタ１１は、プロジェクタ本体となる、ほぼ薄型の箱状に形成された据置タイプのキャビネット１２を有している。
【００１２】
そして、このキャビネット１２には、その前面パネル１２ａの一端部に、投射レンズ１３が配置されている。この投射レンズ１３は、キャビネット１２の前面に設置された映像投射面となる後述するスクリーン上に、映像化された情報を拡大投射して表示させるためのものである。
【００１３】
また、上記キャビネット１２には、その上面パネル１２ｂに、表示部１４及び操作部１５が配置されている。このうち、表示部１４は、カラープロジェクタ１１の現在の状態を表示したり、カラープロジェクタ１１を各種のモードに設定するためのメニューを表示したりするものである。
【００１４】
さらに、上記操作部１５は、電源キーを備えるとともに、カラープロジェクタ１１を各種の動作状態または停止状態に制御したり、カラープロジェクタ１１を各種のモードに設定したりするための各種のキーを備えている。これらのキーは、ユーザが操作するために上面パネル１２ｂから露出するように設置されている。
【００１５】
図２は、上記したカラープロジェクタ１１の信号処理系を概略的に示している。すなわち、入力端子１６に供給された映像信号は、Ａ／Ｄ（analog／digital）変換部１７によりデジタル化された後、映像処理部１８に供給されて、各種の表示効果を与えるための加工処理や、投射される際に必要な所定の信号処理等が施される。
【００１６】
この映像処理部１８で映像信号に施す加工処理としては、例えば、映像出力を停止させるミュート処理、映像サイズを変換するリサイズ処理、映像を静止させるフリーズ処理、主画面映像の中の所定位置に子画面映像を表示させるＰinＰ（picture in picture）処理、１画面を複数の領域に分割してそれぞれの領域に映像を表示させるマルチ画面表示処理等がある。
【００１７】
そして、この映像処理部１８から出力される映像信号は、セレクタ１９によって選択された場合、映像投射部２０に供給されて光学像に変換された後、上記投射レンズ１３を介してスクリーン２１上に拡大投射され、ここに、所望の表示効果が与えられた映像の表示が行なわれる。
【００１８】
また、上記映像処理部１８から出力される映像信号は、ＯＳＤ（on screen display）信号発生部２２に供給される。このＯＳＤ信号発生部２２は、カラープロジェクタ１１の動作状態を示すとともに、各種モードや上記した各加工処理を選択設定するためのメニュー画面等を示すＯＳＤ信号を発生し、映像処理部１８から出力される映像信号に重畳している。
【００１９】
そして、このＯＳＤ信号発生部２２によりＯＳＤ信号の重畳された映像信号は、セレクタ１９によって選択された場合、映像投射部２０に供給されて光学像に変換された後、上記投射レンズ１３を介してスクリーン２１上に拡大投射される。これにより、ユーザは、スクリーン２１上に表示されたＯＳＤ信号を見て、カラープロジェクタ１１の動作状態を認識したり、メニュー画面から各種モードや各加工処理を選択設定したりすることができる。
【００２０】
また、上記映像処理部１８から出力される映像信号と、ＯＳＤ信号発生部２２によりＯＳＤ信号の重畳された映像信号とは、セレクタ２３により選択的にＤ／Ａ（digital／analog）変換部２４に供給されてアナログ化された後、セレクタ２５の一方の入力端に供給される。
【００２１】
このセレクタ２５の他方の入力端には、上記入力端子１６に供給された映像信号がそのまま供給されるようになっている。そして、このセレクタ２５は、Ｄ／Ａ変換部２４から出力される映像信号と、入力端子１６に供給された映像信号とを、選択的に出力端子２６に導くもので、出力端子２６から出力された映像信号は、外部のモニタ２７に供給されて映像表示されるようになっている。
【００２２】
このため、上記セレクタ２５で入力端子１６に供給された映像信号を選択することにより、スクリーン２１に表示されている映像、つまり、セレクタ１９の選択状態には無関係に、カラープロジェクタ１１に入力される元々の映像信号をモニタ２７によって映像表示することができる。
【００２３】
また、上記セレクタ２３で映像処理部１８から出力される映像信号を選択し、セレクタ２５でＤ／Ａ変換部２４から出力される映像信号を選択することにより、セレクタ１９の選択状態には無関係に、映像処理部１８によって所望の表示効果を得るための加工処理が施された映像信号をモニタ２７によって映像表示することができる。
【００２４】
さらに、上記セレクタ２３でＯＳＤ信号発生部２２から出力される映像信号を選択し、セレクタ２５でＤ／Ａ変換部２４から出力される映像信号を選択することにより、セレクタ１９の選択状態には無関係に、ＯＳＤ信号発生部２２によりＯＳＤ信号の重畳された映像信号をモニタ２７によって映像表示することができる。
【００２５】
ここで、上記したカラープロジェクタ１１の映像表示動作は、制御部２８によって統括的に制御されている。この制御部２８は、例えばＣＰＵ（central processing unit）２８ａを内蔵しており、上記操作部１５から得られる操作情報、または、リモートコントローラ２９から送信され受信部３０で受信した操作情報に基づいて、その操作内容が反映されるように各部をそれぞれ制御している。
【００２６】
この場合、制御部２８は、メモリ部２８ｂを利用している。このメモリ部２８ｂは、主として、そのＣＰＵ２８ａが実行する制御プログラムを格納したＲＯＭ（read only memory）と、該ＣＰＵ２８ａに作業エリアを提供するためのＲＡＭ（random access memory）と、各種の設定情報及び制御情報等が格納される不揮発性メモリとを有している。
【００２７】
また、この制御部２８は、上記表示部１４を制御して、カラープロジェクタ１１の現在の状態を表示させたり、カラープロジェクタ１１を各種のモードに設定するためのメニューを表示させたりしている。
【００２８】
さらに、この制御部２８は、ＬＡＮ Ｉ／Ｆ（interface）３１及び入出力端子３２を介して、ＬＡＮ経由で図示しない制御端末（例えばＰＣ等）に接続されている。そして、この制御部２８は、上記制御端末から与えられる操作情報に基づいて、その操作内容が反映されるように各部をそれぞれ制御している。
【００２９】
上記した実施の形態によれば、映像処理部１８から出力される映像信号またはそれにＯＳＤ信号を重畳した信号、つまり、スクリーン２１上での映像表示のために所定の加工処理が施された後の映像信号を、外部のモニタ２７に出力して映像表示することができるようにしている。
【００３０】
すなわち、モニタ２７の表示映像を見ることによって、実際にスクリーン２１上に投射されている映像を確認することができるようになっている。このため、上記制御端末によりカラープロジェクタ１１を操作する際、制御端末の操作者は、スクリーン２１上の表示映像を見ることなく、つまり、任意の場所で映像信号に映像表示効果を与えるための加工処理を施す操作を行なうことが可能となる。
【００３１】
また、各セレクタ１９，２３，２５による信号の選択をそれぞれ制御することにより、スクリーン２１上に表示される映像と、モニタ２７に表示される映像とをそれぞれ任意に切り替えることができるので、実際に運用する際に実用的な効果が生じる。
【００３２】
例えば、スクリーン２１上には映像処理部１８から出力される映像信号に基づいた映像を表示させ、モニタ２７にはＯＳＤ信号の重畳された映像信号に基づいた映像を表示させるようにすれば、スクリーン２１の表示映像を見ている人には気付かれることなく、モニタ２７に表示されたＯＳＤ信号による表示を見て、カラープロジェクタ１１の動作状態を認識したり、メニュー画面から各種モードや各加工処理を選択設定したりする操作を行なうことが可能となる。
【００３３】
また、入力端子１６に供給された元々の映像信号による映像と、その映像信号に映像処理部１８で表示効果が与えられた映像とを、モニタ２７で、選択的に、または、２画面表示により同時に視認することができるので、操作者にとっての取り扱いを便利にすることができる。
【００３４】
さらに、出力端子２６に複数のモニタ２７を接続すれば、映像処理部１８で加工処理した後の映像信号を、複数のモニタ２７で同時に映像表示することが可能となる。つまり、１台のカラープロジェクタ１１で映像信号に施した表示効果を、複数のモニタ２７に一斉に反映させることができ、加工処理後の映像信号の有効利用を図ることができる。
【００３５】
また、図３に示すように、カラープロジェクタ１１の出力端子２６から出力される映像信号を、分配器３３を介して、モニタ２７と他のカラープロジェクタ３４とにそれぞれ供給させることもできる。
【００３６】
このようにすれば、カラープロジェクタ１１の入力端子１６に映像３５に対応する映像信号が供給され、その映像信号にカラープロジェクタ１１で映像３６に示すような拡大表示のための加工処理がされた場合、加工処理後の映像信号を、モニタ２７に映像３７のように表示させることができるとともに、他のカラープロジェクタ３４で映像３８のように投射表示させることができる。つまり、１台のカラープロジェクタ１１で映像信号に施した表示効果を、複数のカラープロジェクタ３４に一斉に反映させることができ、加工処理後の映像信号の有効利用を図ることができる。
【００３７】
図４は、この発明の他の実施の形態を示すもので、テレビジョン放送受信装置３９の映像信号処理系を概略的に示している。すなわち、アンテナ４０で受信されたテレビジョン放送信号は、入力端子４１を介してチューナ４２に供給されることにより、所望のチャンネルの放送信号が選局される。
【００３８】
そして、このチューナ４２で選局された放送信号は、映像信号処理部４３に供給されて復調処理や必要に応じて復号化処理等が施されることにより元の映像信号に復元され、その後、各種の表示効果を与えるための加工処理や、後述する内蔵ディスプレイで映像表示される際に必要な所定の信号処理等が施される。
【００３９】
この映像信号処理部４３で映像信号に施す加工処理としては、例えば、映像出力を停止させるミュート処理、映像サイズを変換するリサイズ処理、映像を静止させるフリーズ処理、主画面映像の中の所定位置に子画面映像を表示させるＰinＰ処理、１画面を複数の領域に分割してそれぞれの領域に映像を表示させるマルチ画面表示処理等がある。
【００４０】
そして、この映像信号処理部４３から出力される映像信号は、セレクタ４４によって選択された場合、上記内蔵ディスプレイ４５に供給されて映像表示され、ここに、所望の表示効果が与えられた映像の表示が行なわれる。
【００４１】
また、上記映像信号処理部４３から出力される映像信号は、ＯＳＤ信号発生部４６に供給される。このＯＳＤ信号発生部４６は、テレビジョン放送受信装置３９の動作状態を示すとともに、各種モードや上記した各加工処理を選択設定するためのメニュー画面等を示すＯＳＤ信号を発生し、映像信号処理部４３から出力される映像信号に重畳している。
【００４２】
そして、このＯＳＤ信号発生部４６によりＯＳＤ信号の重畳された映像信号は、セレクタ４４によって選択された場合、内蔵ディスプレイ４５に供給されて映像表示される。これにより、ユーザは、上記内蔵ディスプレイ４５に表示されたＯＳＤ信号を見て、テレビジョン放送受信装置３９の動作状態を認識したり、メニュー画面から各種モードや各加工処理を選択設定したりすることができる。
【００４３】
また、上記映像信号処理部４３から出力される映像信号と、ＯＳＤ信号発生部４６によりＯＳＤ信号の重畳された映像信号とは、セレクタ４７により選択的に出力端子４８に導かれ、出力端子４８から出力された映像信号は、外部のモニタ４９に供給されて映像表示されるようになっている。
【００４４】
このため、上記セレクタ４７で映像信号処理部４３から出力される映像信号を選択することにより、セレクタ４４の選択状態には無関係に、映像信号処理部４３によって所望の表示効果を得るための加工処理が施された映像信号をモニタ４９によって映像表示することができる。
【００４５】
また、上記セレクタ４７でＯＳＤ信号発生部４６から出力される映像信号を選択することにより、セレクタ４４の選択状態には無関係に、ＯＳＤ信号発生部４６によりＯＳＤ信号の重畳された映像信号をモニタ４９によって映像表示することができる。
【００４６】
ここで、上記したテレビジョン放送受信装置３９の受信動作は、制御部５０によって統括的に制御されている。この制御部５０は、例えばＣＰＵ５０ａを内蔵しており、操作部５１から得られる操作情報、または、リモートコントローラ５２から送信され受信部５３で受信した操作情報に基づいて、その操作内容が反映されるように各部をそれぞれ制御している。
【００４７】
この場合、制御部５０は、メモリ部５０ｂを利用している。このメモリ部５０ｂは、主として、そのＣＰＵ５０ａが実行する制御プログラムを格納したＲＯＭと、該ＣＰＵ５０ａに作業エリアを提供するためのＲＡＭと、各種の設定情報及び制御情報等が格納される不揮発性メモリとを有している。
【００４８】
また、この制御部５０は、ネットワークＩ／Ｆ５４及び入出力端子５５を介して、外部のネットワークに接続されている。そして、この制御部５０は、上記ネットワーク上に接続された制御端末やサーバ等とデータ通信を行なって、操作情報を入力したり、必要が情報を取得したりするようにしている。
【００４９】
図４に示した実施の形態によっても、各セレクタ４４，４７による信号の選択をそれぞれ制御することにより、内蔵ディスプレイ４５に表示される映像と、モニタ４９に表示される映像とをそれぞれ任意に切り替えることができるので、ユーザにとっての取り扱いを便利にすることができる。
【００５０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５１】
【図１】この発明の実施の形態を示すもので、カラープロジェクタの外観を説明するために示す斜視図。
【図２】同実施の形態におけるカラープロジェクタの信号処理系の概略を説明するために示すブロック構成図。
【図３】同実施の形態におけるカラープロジェクタの運用形態の一例を説明するために示す図。
【図４】この発明の他の実施の形態を示すもので、テレビジョン放送受信装置の映像信号処理系の概略を説明するために示すブロック構成図。
【符号の説明】
【００５２】
１１…カラープロジェクタ、１２…キャビネット、１２ａ…前面パネル、１２ｂ…上面パネル、１３…投射レンズ、１４…表示部、１５…操作部、１６…入力端子、１７…Ａ／Ｄ変換部、１８…映像処理部、１９…セレクタ、２０…映像投射部、２１…スクリーン、２２…ＯＳＤ信号発生部、２３…セレクタ、２４…Ｄ／Ａ変換部、２５…セレクタ、２６…出力端子、２７…モニタ、２８…制御部、２８ａ…ＣＰＵ、２８ｂ…メモリ部、２９…リモートコントローラ、３０…受信部、３１…ＬＡＮ Ｉ／Ｆ、３２…入出力端子、３３…分配器、３４…カラープロジェクタ、３５〜３８…映像、３９…テレビジョン放送受信装置、４０…アンテナ、４１…入力端子、４２…チューナ、４３…映像信号処理部、４４…セレクタ、４５…内蔵ディスプレイ、４６…ＯＳＤ信号発生部、４７…セレクタ、４８…出力端子、４９…モニタ、５０…制御部、５０ａ…ＣＰＵ、５０ｂ…メモリ部、５１…操作部、５２…リモートコントローラ、５３…受信部、５４…ネットワークＩ／Ｆ、５５…入出力端子。
【図１】
2009210620.tif 000003
【図２】
2009210620.tif 000004
【図３】
2009210620.tif 000005
【図４】
2009210620.tif 000006
【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
映像信号が入力される入力手段と、
前記入力手段に入力された映像信号に対して所定の表示効果を与えるための処理を施す処理手段と、
前記処理手段で処理の施された映像信号にＯＳＤ信号を重畳する重畳手段と、
前記重畳手段でＯＳＤ信号が重畳された映像信号と前記処理手段で処理の施された映像信号とのいずれか一方を選択的に出力する第１の選択手段と、
前記第１の選択手段で選択された映像信号に基づいて光学像を生成し、投射レンズを介してスクリーン上に投射して映像表示する投射手段と、
前記重畳手段でＯＳＤ信号が重畳された映像信号と前記処理手段で処理の施された映像信号と前記入力手段に入力された映像信号との３つの映像信号のうちの少なくとも２つから一方を選択的に出力する第２の選択手段と、
前記第２の選択手段で選択された映像信号を外部に出力するための出力手段とを具備することを特徴とする映像出力装置。
【請求項２】
前記処理手段が映像信号に施す処理は、映像出力を停止させるミュート処理、映像サイズを変換するリサイズ処理、映像を静止させるフリーズ処理、主画面映像の中の所定位置に子画面映像を表示させるＰinＰ処理、１画面を複数の領域に分割してそれぞれの領域に映像を表示させるマルチ画面表示処理のいずれかを含むことを特徴とする請求項１記載の映像出力装置。
【請求項３】
放送信号を受信する受信手段と、
前記受信手段で受信された放送信号から映像信号を復元して所定の表示効果を与えるための処理を施す処理手段と、
前記処理手段で処理の施された映像信号にＯＳＤ信号を重畳する重畳手段と、
前記重畳手段でＯＳＤ信号が重畳された映像信号と前記処理手段で処理の施された映像信号とのいずれか一方を選択的に出力する第１の選択手段と、
前記第１の選択手段で選択された映像信号に基づいて映像表示を行なう内蔵ディスプレイと、
前記第１の選択手段とは無関係に前記重畳手段でＯＳＤ信号が重畳された映像信号と前記処理手段で処理の施された映像信号とのいずれか一方を選択的に出力する第２の選択手段と、
前記第２の選択手段で選択された映像信号を外部に出力するための出力手段とを具備することを特徴とする映像出力装置。
【請求項４】
映像信号を入力する第１の工程と、
前記第１の工程で入力された映像信号に対して所定の表示効果を与えるための処理を施す第２の工程と、
前記第２の工程で処理の施された映像信号にＯＳＤ信号を重畳する第３の工程と、
前記第３の工程でＯＳＤ信号が重畳された映像信号と前記第２の工程で処理の施された映像信号とのいずれか一方を選択的に出力する第４の工程と、
前記第４の工程で選択された映像信号に基づいて光学像を生成し、投射レンズを介してスクリーン上に投射して映像表示する第５の工程と、
前記第３の工程でＯＳＤ信号が重畳された映像信号と前記第２の工程で処理の施された映像信号と前記第１の工程で入力された映像信号との３つの映像信号のうちの少なくとも２つから一方を選択的に出力する第６の工程と、
前記第６の工程で選択された映像信号を外部に出力する第７の工程とを有することを特徴とする映像出力方法。
【手続補正２】
【補正対象書類名】明細書
【補正対象項目名】０００８
【補正方法】変更
【補正の内容】
【０００８】
すなわち、この発明に係る映像出力装置は、映像信号が入力される入力手段と、入力手段に入力された映像信号に対して所定の表示効果を与えるための処理を施す処理手段と、処理手段で処理の施された映像信号にＯＳＤ信号を重畳する重畳手段と、重畳手段でＯＳＤ信号が重畳された映像信号と処理手段で処理の施された映像信号とのいずれか一方を選択的に出力する第１の選択手段と、第１の選択手段で選択された映像信号に基づいて光学像を生成し、投射レンズを介してスクリーン上に投射して映像表示する投射手段と、重畳手段でＯＳＤ信号が重畳された映像信号と処理手段で処理の施された映像信号と入力手段に入力された映像信号との３つの映像信号のうちの少なくとも２つから一方を選択的に出力する第２の選択手段と、第２の選択手段で選択された映像信号を外部に出力するための出力手段とを備えるようにしたものである。
【手続補正３】
【補正対象書類名】明細書
【補正対象項目名】０００９
【補正方法】変更
【補正の内容】
【０００９】
また、この発明に係る映像出力方法は、映像信号を入力する第１の工程と、第１の工程で入力された映像信号に対して所定の表示効果を与えるための処理を施す第２の工程と、第２の工程で処理の施された映像信号にＯＳＤ信号を重畳する第３の工程と、第３の工程でＯＳＤ信号が重畳された映像信号と第２の工程で処理の施された映像信号とのいずれか一方を選択的に出力する第４の工程と、第４の工程で選択された映像信号に基づいて光学像を生成し、投射レンズを介してスクリーン上に投射して映像表示する第５の工程と、第３の工程でＯＳＤ信号が重畳された映像信号と第２の工程で処理の施された映像信号と第１の工程で入力された映像信号との３つの映像信号のうちの少なくとも２つから一方を選択的に出力する第６の工程と、第６の工程で選択された映像信号を外部に出力する第７の工程とを有するようにしたものである。
【手続補正４】
【補正対象書類名】明細書
【補正対象項目名】００１０
【補正方法】変更
【補正の内容】
【００１０】
上記した発明によれば、所定の表示効果を与えるための処理の施された映像信号とその映像信号にＯＳＤ信号が重畳された映像信号とのいずれか一方を選択してスクリーン上に映像表示させるとともに、所定の表示効果を与えるための処理の施された映像信号とその映像信号にＯＳＤ信号が重畳された映像信号と入力された映像信号との３つの映像信号のうちの少なくとも２つから一方を選択して外部に出力するようにしたので、任意の場所での操作を可能とし、しかも、加工処理後の映像信号のさらなる有効利用も図ることができるようになる。